(57)【要約】【課題】例えば電車等の乗物内での盗撮を精度よく抑制することが可能な撮像装置を提供する。【解決手段】カメラは、撮像レンズを介して受光した被写体の像を撮像する撮像素子と、撮像場所が電車内であるか否かを判定する第１判定手段と、撮像される被写体の位置の明るさと撮像レンズの位置の明るさとの差が予め設定された閾値よりも大きいという条件、被写体を撮像する場合の照明状況が電車内の蛍光灯下の照明状況でないという条件、及び撮像される画像の四隅の明度が予め設定された設定明度よりも低くなっているという条件のうち少なくとも１つの条件が満たされたか否かを判定する第２判定手段と、第１判定手段及び第２判定手段の判定結果が共に肯定判定である場合に、盗撮が行なわれるとみなして、予め設定した盗撮対策を実行する盗撮対策実行手段とを備える。【選択図】図５
2012015609.tif 000002
【特許請求の範囲】
【請求項１】
撮像レンズを介して受光した被写体の像を撮像するための撮像処理を操作部の操作に基づき実行する撮像手段と、
前記撮像手段による撮像場所が乗物内であるか否かを判定する第１判定手段と、
前記撮像手段により撮像される前記被写体の位置の明るさと前記撮像レンズの位置の明るさとの差が予め設定された閾値よりも大きいという条件、前記撮像手段により前記被写体を撮像する場合の照明状況が前記乗物内の蛍光灯下の照明状況でないという条件、及び前記撮像手段により撮像される画像の四隅のうち少なくとも二隅の明度が予め設定された設定明度よりも低くなっているという条件のうち少なくとも１つの条件が満たされたか否かを判定する第２判定手段と、
前記第１判定手段及び前記第２判定手段の判定結果が共に肯定判定である場合に、盗撮が行なわれるとみなして、予め設定した盗撮対策を実行する盗撮対策実行手段と
を備えたことを特徴とする撮像装置。
【請求項２】
前記盗撮対策実行手段は、前記操作部において前記撮像手段に前記撮像処理を実行させる前段階の準備操作が行われたと判断した場合に警告を発することを特徴とする請求項１に記載の撮像装置。
【請求項３】
前記盗撮対策実行手段は、前記盗撮が行なわれるとみなした場合において前記撮像手段により前記盗撮のための撮像処理が実行されたと判断した場合に、該撮像された画像の削除を不能にすることを特徴とする請求項１または請求項２に記載の撮像装置。
【請求項４】
前記盗撮対策実行手段は、前記盗撮が行われた旨の情報を外部へ送信することを特徴とする請求項３に記載の撮像装置。
【請求項５】
前記盗撮対策実行手段は、前記削除を不能にした画像の画像情報に撮像者情報を埋め込むことを特徴とする請求項３または請求項４に記載の撮像装置。
【請求項６】
前記盗撮対策実行手段は、前記削除を不能にした画像の複製を不能にすることを特徴とする請求項３〜請求項５のうちいずれか一項に記載の撮像装置。
【請求項７】
前記盗撮対策実行手段は、前記盗撮が行われたとみなしたときの位置情報を前記乗物内に設置された監視装置に送信することを特徴とする請求項３〜請求項６のうちいずれか一項に記載の撮像装置。
【発明の詳細な説明】
【技術分野】
【０００１】
本発明は、例えばデジタルスチルカメラ等の撮像装置に関する。
【背景技術】
【０００２】
近年、デジタルスチルカメラ、デジタルビデオカメラ、カメラ付き携帯電話などの撮像装置は、ユーザーによる携帯性を向上させるべく飛躍的に小型化されるようになってきた。しかしながら、こうした高い携帯性を有する撮像装置は、例えば電車内などで女性のスカート内をローアングルから盗撮するという反社会的行為に悪用されるようになった。
【０００３】
そこで、このような盗撮を防止するべく、現在位置が撮像の禁止区域であって撮像レンズの光軸方向と鉛直方向との角度が閾値以下である場合に、ローアングルからの盗撮であると判断して撮像処理を実行しないようにした撮像装置が提案されている（例えば、特許文献１）。
【先行技術文献】
【特許文献】
【０００４】
【特許文献１】特開２００９−１４１５０１号公報
【発明の概要】
【発明が解決しようとする課題】
【０００５】
ところで、特許文献１に記載された撮像装置は、現在位置が撮像の禁止区域であることという条件に加えて、撮像レンズの光軸方向と鉛直方向との角度が閾値以下であることという条件も満たしたか否かに基づいて盗撮か否かを判断している。そのため、撮像レンズの光軸方向と鉛直方向との角度が閾値よりも僅かに大きい場合での盗撮を抑制できなかった。換言すると、電車内での撮影が盗撮であるか否かの判断の精度が十分であるとは言えなかった。
【０００６】
本発明は、このような事情に鑑みてなされたものであり、その目的は、例えば電車等の乗物内での盗撮を精度よく抑制することが可能な撮像装置を提供することにある。
【課題を解決するための手段】
【０００７】
上記目的を達成するために、本発明の撮像装置は、撮像レンズを介して受光した被写体の像を撮像するための撮像処理を操作部の操作に基づき実行する撮像手段と、前記撮像手段による撮像場所が乗物内であるか否かを判定する第１判定手段と、前記撮像手段により撮像される前記被写体の位置の明るさと前記撮像レンズの位置の明るさとの差が予め設定された閾値よりも大きいという条件、前記撮像手段により前記被写体を撮像する場合の照明状況が前記乗物内の蛍光灯下の照明状況でないという条件、及び前記撮像手段により撮像される画像の四隅のうち少なくとも二隅の明度が予め設定された設定明度よりも低くなっているという条件のうち少なくとも１つの条件が満たされたか否かを判定する第２判定手段と、前記第１判定手段及び前記第２判定手段の判定結果が共に肯定判定である場合に、盗撮が行なわれるとみなして、予め設定した盗撮対策を実行する盗撮対策実行手段とを備えたことを要旨とする。
【０００８】
また、本発明の撮像装置において、前記盗撮対策実行手段は、前記操作部において前記撮像手段に前記撮像処理を実行させる前段階の準備操作が行われたと判断した場合に警告を発することを要旨とする。
【０００９】
また、本発明の撮像装置において、前記盗撮対策実行手段は、前記盗撮が行なわれるとみなした場合において前記撮像手段により前記盗撮のための撮像処理が実行されたと判断した場合に、該撮像された画像の削除を不能にすることを要旨とする。
【００１０】
また、本発明の撮像装置において、前記盗撮対策実行手段は、前記盗撮が行われた旨の情報を外部へ送信することを要旨とする。
また、本発明の撮像装置において、前記盗撮対策実行手段は、前記削除を不能にした画像の画像情報に撮像者情報を埋め込むことを要旨とする。
【００１１】
また、本発明の撮像装置において、前記盗撮対策実行手段は、前記削除を不能にした画像の複製を不能にすることを要旨とする。
また、本発明の撮像装置において、前記盗撮対策実行手段は、前記盗撮が行われたとみなしたときの位置情報を前記乗物内に設置された監視装置に送信することを要旨とする。
【発明の効果】
【００１２】
本発明によれば、例えば電車等の乗物内での盗撮を精度よく抑制することができる。
【図面の簡単な説明】
【００１３】
【図１】実施形態のデジタルスチルカメラの概略構成を示すブロック図。
【図２】電車内の様子を示す模式図。
【図３】盗撮用の孔越しに撮像する画像の四隅が黒く潰れた状態を示す模式図。
【図４】盗撮対策処理ルーチンのフローチャート。
【図５】盗撮対策処理ルーチンのフローチャート。
【発明を実施するための形態】
【００１４】
以下、本発明を撮像装置としてのデジタルスチルカメラ（以下、「カメラ」という。）に具体化した実施形態を図１〜図４に基づいて説明する。
図１に示すように、カメラ１１は、ズームレンズなどの複数のレンズからなる撮像レンズ１２（図１では１つのレンズのみ図示）と、該撮像レンズ１２を通過した被写体光の光量を調整する絞り１３と、その絞り１３を通過した被写体光を撮像面となる入射側の受光面１４aに結像させる撮像手段としての撮像素子１４とを有している。そして、撮像素子１４の出力側には、ＡＦＥ（Analog Front End）１５と画像処理回路１６とが接続されると共に、その画像処理回路１６に対してＭＰＵ（Micro Processing Unit）１７がデータバス１８を介して接続されている。
【００１５】
また、ＭＰＵ１７には、カメラ１１の各種の制御プログラムを記憶したＲＯＭ１９、バッファメモリとして機能するＲＡＭ２０、スルー画像などを表示する液晶表示のモニタ２１、及び記憶媒体であるメモリカード２２を挿脱可能なカードＩ／Ｆ（Inter-Face）２３がデータバス１８を介して接続されている。また、ＭＰＵ１７には、不揮発性メモリ２４、外部機器等とのデータ通信などを行う通信部２５、撮像レンズ１２の位置の明るさを検出する照度センサー２６、警告音を鳴らすブザー（警告手段）２７、被写体の位置の明るさを検出する測光センサー２８がデータバス１８を介して接続されている。
【００１６】
また、ＭＰＵ１７には、加速度検出部２９、方向検出部３０、位置検出部３１、及びフラッシュを発光させるフラッシュ発光部３６がデータバス１８を介して接続されている。
さらに、カメラ本体（図示略）には、そのカメラ１１の使用者により操作されるレリーズボタン等からなる操作部３２が、ＭＰＵ１７に対して各々の操作信号（半押し操作信号など）を出力可能に設けられている。
【００１７】
撮像レンズ１２は、光軸を有している。光軸とは、レンズ両面の曲率中心を結ぶ線のことである。撮像レンズ１２は、光軸を中心とした画角の範囲にある被写体の反射光を受光する。すなわち、カメラ１１は、撮像レンズ１２を光軸方向±（画角／２）の範囲内で被写体に向けたときに被写体の像を撮像することができる。
【００１８】
撮像素子１４は、ＣＭＯＳ（Complementary Metal Oxide Semiconductor）イメージセンサ、又はＣＣＤ（Charge Coupled Device）イメージセンサからなっている。撮像素子１４は、電子シャッター機能を有すると共に、その受光面１４ａには多数の受光素子（図示略）が二次元的に配列されている。そして、撮像素子１４は、その受光面１４ａに結像した被写体の像に対応した信号電荷を蓄積した後、その蓄積した信号電荷を画像データの元となる画素信号と呼ばれるアナログ信号でＡＦＥ１５に出力する。
【００１９】
ＡＦＥ１５は、撮像素子１４から入力したアナログ信号の画素信号を所定のタイミングでサンプリング（相関二重サンプリング）するとともに、例えばＩＳＯ感度に基づく所定信号レベルとなるように増幅する信号処理部（図示略）と、その増幅後の画素信号をデジタル信号に変換するＡ／Ｄ変換部（図示略）とを有している。そして、ＡＦＥ１５は、アナログ信号の画素信号をＡ／Ｄ変換部でデジタル化することにより生成した画像データを画像処理回路１６に出力する。
【００２０】
画像処理回路１６は、ＡＦＥ１５から入力した画像データに対して、ＭＰＵ１７からの制御信号に基づき各種の画像処理を施す。そして、画像処理回路１６は、そのように画像処理を施した画像データを、ＲＡＭ２０に一旦記憶させると共に、モニタ２１にスルー画像として表示させる。また、レリーズボタンが全押し操作された場合は、そのときの画像データと対応する画像をモニタ２１に確認用画像として表示させる一方、例えばＪＰＥＧ圧縮のためのフォーマット処理等の所定の画像処理を施した後に、メモリカード２２に画像ファイルとして記憶させる。
【００２１】
不揮発性メモリ２４には、盗撮対策条件データ及び鉛直方向データや、予め設定された閾値Ａ、閾値Ｂ、及び設定明度などが記憶されるとともに、上記画像ファイルも記憶可能になっている。そして、不揮発性メモリ２４に記憶された盗撮対策条件データにおける盗撮対策条件は、以下の第１条件〜第３条件の３つの条件により構成されている。
【００２２】
すなわち、第１条件は、撮像素子１４により撮像される被写体の位置の明るさと撮像レンズ１２の位置の明るさとの差が閾値Ａよりも大きいという条件である。また、第２条件は、撮像素子１４により被写体を撮像する場合の照明状況が乗物である電車４１内の蛍光灯４２下の照明状況でないという条件である（図１及び図２参照）。また、第３条件は、撮像素子１４により撮像される画像の四隅の領域Ｔ（図３参照）の明度が予め設定された設定明度の値よりも低くなっているという条件である。
【００２３】
また、本実施形態では、ＭＰＵ１７、ＲＯＭ１９、ＲＡＭ２０、及び不揮発性メモリ２４によって制御部４０が構成されている。すなわち、制御部４０は、ＭＰＵ１７が不揮発性メモリ２４に記憶されたデータ等を用いてＲＡＭ２０を作業領域としてＲＯＭ１９に記憶された制御プログラムを実行することで、カメラ１１における各種の処理動作（例えば撮像処理等）を統括的に制御する。そして、データバス１８は、こうした制御部４０の制御に伴う各種データの伝送路として機能する。
【００２４】
また、操作部３２におけるレリーズボタンは、カメラ１１の動作モードが撮影モードである場合において被写体を撮影するときに押し下げ操作される。そして、このカメラ１１では、操作部３２のレリーズボタンが半押し操作された段階で被写体に対する焦点合わせのためのＡＦ（Auto Focus）処理と露出調整のためのＡＥ（Auto Exposure）処理、撮像する被写体の色を光の種類に応じて見た目に近い色に補正するＡＷＢ（Auto White balance）処理が実行され、その後にレリーズボタンが全押し操作された段階で画像の生成処理が実行されるようになっている。
【００２５】
加速度検出部２９は、カメラ１１が備える加速度センサー３３に接続されている。そして、加速度検出部２９は、加速度センサー３３が検出した内容に基づいて単位時間当たりの速度の変化を特定した後、該特定した変化データをＭＰＵ１７へ出力する。加速度センサー３３は、例えば、３次元の加速度及び地球の重力（静的加速度）の測定にも対応できるようになっているとともに、カメラ１１（カメラ本体）の傾きを検出する。
【００２６】
方向検出部３０は、カメラ１１が備える地磁気センサー３４に接続されている。そして、方向検出部３０は、地磁気センサー３４が検出した内容に基づいて前後方向、左右方向、上下方向の各方位を特定した後、該特定した方位データをＭＰＵ１７へ出力する。地磁気センサー３４は、例えば、３軸方向、すなわち、前後方向、左右方向、上下方向の地磁気を検出することができるようになっているとともに、カメラ１１（カメラ本体）の傾きを検出する。
【００２７】
位置検出部３１は、カメラ１１が備えるＧＰＳ（global positioning system）ユニット３５に接続されている。そして、位置検出部３１は、ＧＰＳユニット３５が検出した内容に基づいてカメラ１１の現在位置を特定した後、該特定した現在位置データをＭＰＵ１７へ出力する。ＧＰＳユニット３５は、人工衛星（図示略）からのＧＰＳ信号を受信してカメラ１１の現在位置を検出する。
【００２８】
次に、このカメラ１１を用いて撮影（撮像）を行う際に制御部４０が実行する盗撮対策処理ルーチンについて、図４及び図５のフローチャートを参照しながら以下説明する。
さて、制御部４０は、図示しない電源スイッチがオン操作されることによりカメラ１１が撮像可能状態になると、盗撮対策処理ルーチンを開始する。そして、先ずステップＳ１１において、制御部４０は、位置検出部３１から出力される現在位置データに基づいて、現時点での撮影（撮像）場所が電車４１内（乗物内）であるか否かを判定する。例えば、出力された現在位置データが予め不揮発性メモリ２４等に記憶した電車の路線図データの中に含まれていれば、現時点での撮影場所となる現在位置は路線上を走行する電車内であると判定する。この点で、制御部４０は、撮影（撮像）場所が乗物内であるか否かを判定する第１判定手段として機能する。ステップＳ１１の判定結果が否定判定である場合、制御部４０は、この時点での撮影は盗撮ではないとみなす。そして、制御部４０は、図示しない電源スイッチがオフ操作されない限り、再びステップＳ１１に戻って盗撮対策処理ルーチンを繰り返し実行する。一方、ステップＳ１１の判定結果が肯定判定である場合、制御部４０は、その処理を次のステップＳ１２に移行する。
【００２９】
そして、次のステップＳ１２において、制御部４０は、更なる盗撮判定のための条件が満たされたか否かを判定する。すなわち、制御部４０は、以下に示す第１条件〜第３条件のうち少なくとも１つの条件が満たされたか否かを判定する第２判定手段として機能する。
【００３０】
第１条件は、撮像される被写体の位置の明るさと撮像レンズ１２の位置の明るさとの差が予め設定された閾値Ａよりも大きいという条件であり、カメラ１１の撮像レンズ１２を電車４１内で立っている女性のスカートの裾近傍に配置して該スカートの内部を撮影（盗撮）しようとしている場合を想定している。この場合には、スカートの内部へは蛍光灯４２の光がほとんど届かないので、スカートの内部（被写体の位置）とスカートの裾近傍（撮像レンズ１２の位置）との間では、蛍光灯４２から照射される光の受光量に大きな差が生じる。そのため、これらの間での明るさの差も通常の撮影時に比べて格段に大きくなる。
【００３１】
したがって、制御部４０は、カメラ１１が備える照度センサー２６及び測光センサー２８から出力される検出信号に基づいて被写体の位置の明るさと撮像レンズ１２の位置の明るさとの差を算出するとともに、該算出した値が閾値Ａよりも大きい場合に、第１条件が満たされたと判定する。なお、この閾値Ａは、スカート内の盗撮を判定できる程度の値に設定されるものであって、予め実験やシミュレーションを行うことによって求められる。
【００３２】
また、第２条件は、被写体を撮像する場合の照明状況が電車（乗物）４１内の蛍光灯４２下の照明状況でないという条件であり、カメラ１１を電車４１内で立っている女性のスカート内に進入させて該スカートの内部を電車４１内の蛍光灯４２を光源とすることなく撮影（盗撮）しようとしている場合を想定している。この場合には、カメラ１１を女性のスカート内に進入させているため、カメラ１１に蛍光灯４２の光があたらない。したがって、制御部４０は、モニタ２１に表示されるスルー画像により電車４１内の蛍光灯４２の光（フリッカ）が検出されなかった場合に、第２条件が満たされたと判定する。
【００３３】
また、第３条件は、撮像される画像の四隅のうち少なくとも二隅の明度が予め設定された設定明度よりも低くなっているという条件であり、盗撮用の孔を開けた鞄などの中にカメラ１１を隠して、該孔越しに電車４１内で立っている女性のスカートの内部を撮影（盗撮）しようとしている場合を想定している。この場合には、モニタ２１に表示されるスルー画像の四隅の領域Ｔ（図３参照）が黒く潰れた状態になる。したがって、制御部４０は、スルー画像の四隅の領域Ｔの明度が予め設定された設定明度よりも低くなっている場合には、第３条件が満たされたと判定する。なお、この設定明度の値は、孔越しの盗撮を判定できる程度の値に設定されるものであって、予め実験やシミュレーションを行うことによって求められる。
【００３４】
そして、ステップＳ１２の判定結果が否定判定である場合、制御部４０は、この時点での撮影は盗撮ではないとみなす。そして、制御部４０は、図示しない電源スイッチがオフ操作されない限り、再びステップＳ１１に戻って盗撮対策処理ルーチンを繰り返し実行する。一方、ステップＳ１２の判定結果が肯定判定である場合、制御部４０は、その処理を次のステップＳ１３に移行する。
【００３５】
そして、次のステップＳ１３において、制御部４０は、カメラ１１の撮像レンズ１２の光軸方向Ｌ（図２参照）を検出する。すなわち、制御部４０は、加速度センサー３３で検出する３次元の加速度の何れか一つを撮像レンズ１２の光軸方向Ｌとなるように設定し、該加速度センサー３３が検出した３次元の加速度データに基づいて撮像レンズ１２の光軸方向Ｌを検出する。そして、このステップＳ１３の処理が終了すると、制御部４０は、その処理を次のステップＳ１４に移行する。
【００３６】
そして、次のステップＳ１４において、制御部４０は、加速度センサー３３が検出した地球の重力データ、又は地磁気センサー３４が検出した上下方向の地磁気データに基づいて鉛直方向Ｍ（図２参照）を設定する。そして、このステップＳ１４の処理が終了すると、制御部４０は、その処理を次のステップＳ１５に移行する。
【００３７】
そして、次のステップＳ１５において、制御部４０は、ステップＳ１３で検出した光軸方向ＬとステップＳ１４で設定した鉛直方向Ｍとがなす角度θを算出する（図２参照）。そして、このステップＳ１５の処理が終了すると、制御部４０は、その処理を次のステップＳ１６に移行する。
【００３８】
そして、次のステップＳ１６において、制御部４０は、ステップＳ１５で算出した角度θが閾値Ｂ以下であるか否かを判定する。この点で、制御部４０は、撮像レンズ１２の光軸方向Ｌと鉛直方向Ｍとの角度θが予め設定された閾値Ｂ以下であるか否かを判定する第３判定手段として機能する。ステップＳ１６の判定結果が否定判定である場合、制御部４０は、この時点での撮影は盗撮ではないとみなす。そして、制御部４０は、図示しない電源スイッチがオフ操作されない限り、再びステップＳ１１に戻って盗撮対策処理ルーチンを繰り返し実行する。一方、ステップＳ１６の判定結果が肯定判定である場合、制御部４０は、撮像レンズ１２がほぼ鉛直上方に向けられていると判断し、カメラ１１がローアングルからの盗撮に悪用されているとみなす。すなわち、このままでは盗撮が行なわれるとみなす。なお、閾値Ｂは、例えば、撮像レンズ１２の画角に基づいて、Ｂ＝画角／２のように予め設定される。そして、このステップＳ１６の処理が終了すると、制御部４０は、その処理を次のステップＳ１７に移行する。
【００３９】
そして、次のステップＳ１７において、制御部４０は、操作部３２のレリーズボタンが半押しされたか（撮像素子１４に撮像処理を実行させる前段階の準備操作が行われたか）否かを判定する。ステップＳ１７の判定結果が否定判定である場合、制御部４０は、このステップＳ１７の判定を、図示しない電源スイッチがオフ操作されない限り、周期的に繰り返す。そして、このステップＳ１７の判定結果が肯定判定になると、制御部４０は、その処理を次のステップＳ１８に移行する。
【００４０】
そして、次のステップＳ１８において、制御部４０は、ブザー２７に信号を送信して警告音を鳴らさせる。この点で、制御部４０及びブザー２７は、盗撮抑制のために盗撮対策の一種である警告を発する盗撮対策実行手段として機能する。そして、このステップＳ１８の処理が終了すると、制御部４０は、その処理を次のステップＳ１９に移行する。
【００４１】
そして、次のステップＳ１９において、制御部４０は、操作部３２のレリーズボタンの半押し状態が解除されたか否かを判定する。ステップＳ１９の判定結果が肯定判定である場合、制御部４０は、撮像者（撮影者）が盗撮を思い止まったとみなす。そして、制御部４０は、図示しない電源スイッチがオフ操作されない限り、再びステップＳ１１に戻って盗撮対策処理ルーチンを繰り返し実行する。一方、ステップＳ１９の判定結果が否定判定である場合、制御部４０は、その処理を次のステップＳ２０に移行する。
【００４２】
そして、次のステップＳ２０において、制御部４０は、操作部３２のレリーズボタンが全押しされたか否かを判定する。ステップＳ２０の判定結果が否定判定である場合、制御部４０は、その処理をステップＳ１９に戻す。一方、ステップＳ２０の判定結果が肯定判定である場合、制御部４０は、この時点での撮影は盗撮であるとみなしつつ、撮像素子１４に撮像処理を実行させて、その処理を次のステップＳ２１に移行する。
【００４３】
そして、次のステップＳ２１において、制御部４０は、ステップＳ２０で撮像された画像（盗撮とみなした画像）を不揮発性メモリ２４に記憶させて保存する。そして、このステップＳ２１の処理が終了すると、制御部４０は、その処理を次のステップＳ２２に移行する。
【００４４】
そして、次のステップＳ２２において、制御部４０は、盗撮対策実行手段として予め定めた幾つかの盗撮対策を実行する。すなわち、ステップＳ２１で不揮発性メモリ２４に保存された画像の削除、複製、及び送信を禁止（不能に）する。そして、このステップＳ２２の処理が終了すると、制御部４０は、その処理を次のステップＳ２３に移行する。
【００４５】
そして、次のステップＳ２３において、制御部４０は、ステップＳ２１で不揮発性メモリ２４に保存された画像に撮影者情報を埋め込む。具体的には、制御部４０は、カメラ１１のユーザー登録情報をインターネット経由で取得し、ステップＳ２１で不揮発性メモリ２４に保存された画像にユーザー登録情報（ユーザーの氏名、住所、電話番号などの個人情報やカメラ１１の製造番号など）をタグ情報として添付する。この点で、制御部４０は、盗撮画像の画像情報に撮影者情報を埋め込む盗撮対策実行手段として機能する。そして、このステップＳ２３の処理が終了すると、制御部４０は、その処理を次のステップＳ２４に移行する。
【００４６】
そして、次のステップＳ２４において、制御部４０は、警察（外部）に盗撮が行われた旨の情報を、通信部２５に送信させる。すなわち、制御部４０は、管轄の警察署などの然るべき公共機関に盗撮が行われた旨の情報を、通信部２５に送信させる。この点で、制御部４０及び通信部２５は、盗撮対策実行手段として機能する。そして、このステップＳ２４の処理が終了すると、制御部４０は、その処理を次のステップＳ２５に移行する。
【００４７】
そして、次のステップＳ２５において、制御部４０は、位置検出部３１から出力されたカメラ１１の位置情報を電車４１内に設置された監視カメラ（監視装置）４３に送信する。具体的には、その監視カメラ４３の制御装置（図示略）に対して、盗撮に使用されたカメラ１１の電車４１内における現在位置情報を送信する。この点でも、制御部４０は、盗撮対策実行手段として機能する。一方、監視カメラ４３側では、例えば、送信されてきたカメラ１１の現在位置情報に基づき、電車４１内で盗撮が行なわれた付近を特定し、その付近を俯瞰的に撮影する。そして、ステップＳ２５の処理が終了すると、制御部４０は、図示しない電源スイッチがオフ操作されない限り、再びステップＳ１１に戻って盗撮対策処理ルーチンを繰り返し実行する。
【００４８】
次に、以上のように構成された本実施形態のカメラ１１により電車４１内で立っている女性のスカートの内部を盗撮しようとした場合の作用について説明する。
さて、カメラ１１の撮像レンズ１２を被写体となる女性のスカートの下側から該スカートの内部に向けると、該スカートの内部がスルー画像としてモニタ２１に表示される。そして、その状態で、カメラ１１の使用者（撮像者）により、レリーズボタンが半押しされると、警告音が鳴る。これにより、カメラ１１の使用者が、盗撮することをあきらめてレリーズボタンの半押し状態を解除すると、警告音が止む。一方、カメラ１１の使用者がレリーズボタンを全押しして盗撮を行うと、盗撮画像が保存される。
【００４９】
このとき、この盗撮画像には使用者情報（撮影者情報）が埋め込まれるとともに、該盗撮画像の削除、複製、及び送信が禁止される。すなわち、カメラ１１の使用者によって、盗撮画像の削除、複製、及び送信ができなくなるため、盗撮の証拠隠滅や盗撮画像の不特定多数の人間への流出が避けられる。
【００５０】
引き続き、盗撮が行われたことが警察に通報されるとともに、カメラ１１の位置情報が電車４１内の監視カメラ４３に送信される。そして、カメラ１１の位置情報を受信した監視カメラ４３は、カメラ１１の位置（盗撮が行われた位置）をズームアップして撮影する。
【００５１】
以上のような本実施形態によれば、以下のような効果を得ることができる。
（１）カメラ１１による撮像場所が電車４１内であって盗撮判定の条件（第１条件〜第３条件のうち少なくとも１つの条件）が満たされた場合に、盗撮が行なわれるとみなされて盗撮対策が実行されるので、電車４１内での盗撮を精度よく抑制することができる。
【００５２】
（２）カメラ１１は、盗撮が行われるとみなした場合に、使用者によってレリーズボタンが半押しされると、警告音を発するため、使用者に対して盗撮を行うことを思い止まらせるように働きかけることができる。したがって、盗撮行為（犯罪）を抑制することができる。
【００５３】
（３）カメラ１１は、盗撮が行なわれるとみなした場合において、使用者（撮像者）によって撮像（撮影）が行われると、該撮像によって保存された盗撮画像の削除を不能にするため、盗撮犯（使用者）の証拠隠滅を防ぐことができる。
【００５４】
（４）カメラ１１は、使用者によって盗撮が行われたことを警察へ通報するため、盗撮犯の逮捕に貢献することができる。
（５）カメラ１１は、保存された盗撮画像については削除不能にするだけでなく、その盗撮画像の画像情報に使用者情報（撮像者情報）を埋め込むため、この点でも盗撮犯の逮捕に貢献することができる。
【００５５】
（６）カメラ１１は、保存された盗撮画像については削除不能にするだけでなく、その盗撮画像の複製及び送信を不能にするため、該画像（盗撮画像）がインターネットなどを介して不特定多数の人間に流出することを抑制することができる。
【００５６】
（７）カメラ１１は、盗撮が行われたとみなしたときの位置情報を電車４１内に設置された監視カメラ４３に送信するため、この送信情報に基づいて該監視カメラ４３を盗撮位置に向けることができる。したがって、監視カメラ４３による盗撮犯の撮影に貢献することができる。
【００５７】
（変更例）
なお、上記実施形態は以下のような別の実施形態に変更してもよい。
・盗撮対策処理ルーチンにおいて、ステップＳ２２〜Ｓ２５のうち少なくとも１つを省略してもよい。
【００５８】
・盗撮対策処理ルーチンにおいて、ステップＳ１３〜Ｓ１６を省略してもよい。
・盗撮対策処理ルーチンにおいて、ステップＳ１８を省略してもよい。
・盗撮対策処理ルーチンのステップＳ１１において、カメラ１１での撮影場所（撮像場所）が電車４１内であるか否かの判定は、電車４１内に電車４１内であることを示す電波の発信装置を設置し、その電波を受信できるか否かの判定結果に基づいてもよい。
【００５９】
・盗撮対策処理ルーチンのステップＳ１１において、カメラ１１での撮影場所（撮像場所）が電車４１内であるか否かの判定は、カメラ１１の移動速度に基づくようにしてもよい。すなわち、カメラ１１の移動速度が電車４１の移動速度であるか否かに基づいて撮影場所が電車４１内であるか否かの判定を行ってもよい。この場合、カメラ１１の移動速度は、ＧＰＳユニット３５によって検出される２位置間の距離を該２位置間の移動時間で除することで求められる。なお、この２位置間の移動時間は、カメラ１１に内蔵されたタイマ（図示略）によって測定される。
【００６０】
・ブザー２７の代わりに、カメラ１１を振動させる振動機構を備え、その振動機構の振動を盗撮対策の一つである警告として用いてもよい。
・盗撮対策処理ルーチンのステップＳ１１において、電車４１以外の不特定多数の人間が一緒に乗る乗物（例えばバスなど）内での撮影か否かを判定するようにしてもよい。
【００６１】
・盗撮対策処理ルーチンのステップＳ２４において、警察以外の機関、例えば、電車４１を所有する鉄道会社や最寄り駅の駅長室などに盗撮が行われた旨の情報を、通信部２５に送信させるようにしてもよい。
【００６２】
・盗撮対策処理ルーチンにおいて、被写体の撮影方向、被写体までの距離、被写体の温度、被写体に対する撮影位置の高さ（ローアングル撮影の判定要素）などを解析して、これらの解析結果を盗撮が行われるか否かの判定要素に加えるようにしてもよい。
【００６３】
・盗撮対策処理ルーチンにおいて、ステップ１２の判定が肯定判定またはステップＳ１６の判定が肯定判定である場合に、カメラ１１での撮影ができないようにしてもよい。
・第２条件が満たされているか否かを判定するために、蛍光灯４２の光（フリッカ）を検出するためのセンサーをカメラ１１に別途設けてもよい。
【００６４】
・撮像装置がカメラ機能付き携帯電話である場合には、カメラモード（撮影モード）にした際に、盗撮対策処理ルーチンを実行するようにしてもよい。
・撮像装置がカメラ機能付き携帯電話である場合には、盗撮対策処理ルーチンのステップＳ２３において、携帯電話番号やプロフィールなどの個人情報を撮影者情報として取得し、ステップＳ２１で不揮発性メモリ２４に保存された画像に該撮影者情報をタグ情報として添付するようにしてもよい。
【００６５】
・撮像装置がカメラ機能付き携帯電話であって該携帯電話が乗車券として使用できるサービスを受けている場合には、盗撮対策処理ルーチンのステップＳ１１において、カメラ１１での撮影場所（撮像場所）が電車４１内であるか否かの判定は、改札の入退場記録に基づくようにしてもよい。
【００６６】
・制御部４０は、スルー画像の四隅のうち二隅の領域Ｔあるいは三隅の領域Ｔの明度が設定明度よりも低くなっている場合に、第３条件が満たされたと判定するようにしてもよい。
【００６７】
・上記実施形態においては、撮像装置の一種であるデジタルスチルカメラに具体化したが、例えば、デジタルビデオカメラ、カメラ機能付き携帯電話、カメラ機能付き携帯ゲーム機などの他の撮像装置に具体化してもよい。
【００６８】
次に、上記各実施形態から把握できる技術的思想を以下に追記する。
（イ）撮像レンズを介して受光した被写体の像を撮像するための撮像処理を操作部の操作に基づき実行する撮像手段と、
前記撮像手段により撮像される画像の四隅のうち少なくとも二隅の明度が予め設定された設定明度よりも低くなっている場合に、前記撮像手段により盗撮が行なわれるとみなして、予め設定した盗撮対策を実行する盗撮対策実行手段とを備えたことを特徴とする撮像装置。
【００６９】
このようにすれば、電車内などの乗物内に限らず、どのような場所でも盗撮対策を行うことができる。この場合、撮像手段により撮像される画像の四隅のうち少なくとも二隅の明度が予め設定された設定明度よりも低くなっていると、例えば鞄等に開けた孔からの撮影（盗撮）であると考えられる。
【００７０】
（ロ）前記撮像レンズの光軸方向と鉛直方向との角度が予め設定された閾値以下であるか否かを判定する第３判定手段をさらに備え、
前記盗撮対策実行手段は、前記第１判定手段、前記第２判定手段、及び第３判定手段の判定結果が全て肯定判定である場合に、盗撮が行なわれるとみなして、予め設定した盗撮対策を実行することを特徴とする請求項１に記載の撮像装置。
【００７１】
このようにすれば、盗撮とみなす条件に、ローアングルからの撮影であることが加わるため、電車４１内での盗撮をより一層精度よく抑制することができる。
【符号の説明】
【００７２】
１１…撮像装置としてのカメラ、１２…撮像レンズ、１４…撮像手段としての撮像素子、１６…盗撮対策実行手段を構成する画像処理回路、２５…盗撮対策実行手段を構成する通信部、２７…盗撮対策実行手段を構成する警告手段としてのブザー、３２…操作部、４０…盗撮対策実行手段、第１判定手段、第２判定手段、及び第３判定手段を構成する制御部、４１…乗物としての電車、４２…蛍光灯、４３…監視装置としての監視カメラ、Ａ…閾値、Ｌ…光軸方向、Ｍ…鉛直方向。
【図１】
2012015609.tif 000003
【図２】
2012015609.tif 000004
【図３】
2012015609.tif 000005
【図４】
2012015609.tif 000006
【図５】
2012015609.tif 000007